(57)【要約】【課題】小型光ディスクの属性を自動的に判別すると共に、その属性に対応するシステムを起動させることにより、ユーザにかかる作業の簡略化を計ることを目的とする。 【解決手段】小型光ディスクに格納されている情報の読み出しを行う読み出し手段（１）と、前記読み出し手段（１）の読み出した情報のフォーマットに基づいて前記小型光ディスクの属性を識別する識別手段（２）と、個々の小型光ディスクの属性に対応する実行部を有し、前記小型光ディスクの属性に対応する実行部により小型光ディスクの再生・実行を行う処理手段（３）と、前記各部の制御を行う制御手段（４）とを備える小型光ディスク自動判別起動システム。 【選択図】図１
2006099960.tif 000002
【特許請求の範囲】
【請求項１】
同一形状であり、情報格納フォーマットの異なる複数種の小型光ディスクを再生可能とするシステムにおいて、
前記小型光ディスクに格納されている情報の読み出しを行う読み出し手段と、
前記読み出し手段の読み出した情報のフォーマットに基づいて前記小型光ディスクの属性を識別する識別手段と、
個々の小型光ディスクの属性に対応する実行部を有し、前記小型光ディスクの属性に対応する実行部により小型光ディスクの再生・実行を行う処理手段（３）と、
前記各部の制御を行う制御手段とを備え、
前記制御手段は、前記読み出し手段に任意の小型光ディスクがセットされた場合に、この読み出し手段を動作させて当該小型光ディスクの上位に格納されている情報を読み出し、
前記識別手段は、前記読み出し手段により読み出される情報のフォーマットを解析して、当該小型光ディスクの属性を判別し、
前記処理手段は、前記識別手段により識別される属性に対応する実行部を起動させて当該小型光ディスクに格納されている情報の再生・実行を行うことを特徴とする小型光ディスク自動判別起動方式。 
【請求項２】
前記処理手段は、ディジタル信号形式の音楽情報をアナログ信号形式の音情報に変換・出力する第一の実行部と、
任意のデータにかかる情報を検索・出力する第二の実行部と、
システムプログラムを実行する第三の実行部とを有し、
前記処理手段は、前記識別手段により小型光ディスクに格納されている情報の属性を音楽情報として認識した場合に、前記第一の実行部を起動させてアナログ信号形式のデータに変換・出力することで当該音楽情報の再生・出力を行い、
前記格納情報の属性をデータベースと認識した場合に、前記第二の実行部を起動させて、任意のデータにかかる情報を前記小型光ディスクから検索・出力し、
前記格納情報の属性をシステムプログラムと識別した場合には、前記第三の実行部を起動させて、当該システムプログラムを実行することを特徴とする請求項１記載の小型光ディスク自動判別起動方式。 
【請求項３】
前記識別手段は、前記読み出し手段を介して小型光ディスクにアクセスし、最上位アドレスに格納されているリードインエリアを読み込み、このエリアに、音楽情報以外のデータ格納状態を示すデータ格納情報が登録されているか否かを判別し、
データ格納情報が未登録の場合には、当該小型光ディスクの属性を音楽情報と識別し、
データ格納情報が登録されている場合には、前記リードインエリアの下位アドレスに格納されているユーザデータエリアにアクセスし、データベース識別情報が記録されているか、または自動起動プログラムが記録されているか否かを判別し、
データベース識別情報が記録されている場合には、当該小型光ディスクの属性をデータベースとして識別し、
自動起動プログラムが記録されている場合には、当該小型光ディスクの属性をシステムプログラムとして識別することを特徴とする請求項１記載の小型光ディスク自動判別起動方式。
【発明の詳細な説明】
【技術分野】
【０００１】
本発明は、音楽用コンパクトディスク、辞書検索用コンパクト、システムコンパクトディスク等の各種コンパクトディスクの読み出し・書き込みを可能とするシステムにおいて、特に、ディスクドライブにセットされたコンパクトディスクの属性を自動的に識別して、その属性に対応するソフトウェアを自動的に起動する方式に関する。 
【背景技術】
【０００２】
最近では、ソフトウェア技術の進歩と共に、ハードウェア技術の進歩が図られており、コンパクト且つ大容量である効率の良い記憶媒体の開発が進められている。 
【０００３】
ここで、次世代の記憶媒体として小型光ディスク（以下、コンパクトディスクと記す）が注目されている。このコンパクトディスクは、元々音楽情報を記録するために開発されたものであり、高密度のディジタル情報を格納し、良質の音を再生可能としている。そこで、従来では、このコンパクトディスクの特徴である小型形状且つ大記憶容量、さらに複製が容易な点に着目し、この応用形態としてコンパクトディスク・ロム（以下ＣＤーＲＯＭと略称する）が考え出された。このＣＤーＲＯＭは、その特性から主にデータベースとして利用されているが、システム起動にかかるプログラムを格納するシステムのフロッピー（登録商標）ディスクに代わるものとしても普及してきている。即ち、パーソナルコンピュータ等に、このコンパクトディスクを再生可能とするディスクドライブを接続したシステムが知られている。 
【０００４】
上記のシステムでは、ユーザがシステムを電源投入後、再生するコンパクトディスクの属性に対応するプログラムを立ち上げる。例えば、音楽用コンパクトディスクを再生する場合には、コンパクトディスクプレーヤーを起動させるためのアプリケーションプログラムを起動させる。そして、ディスクドライブに音楽用コンパクトディスクをセットし、再生開始ボタンを操作することにより、当該システムでは、前記のアプリケーションプログラムに基づいてコンパクトディスクに格納されている音楽情報を読み出す。そして、この音楽情報をデジタル信号形式の情報形態からアナログ信号形式の情報形態に変換後、音情報として出力する。これにより、ユーザは、コンパクトディスクに格納されている音楽を聴くことができる。 
【０００５】
また、データベース格納用コンパクトディスクを使用する場合には、ユーザは、データベース検索装置を起動させるべくアプリケーションプログラムを起動させる。そして、ディスクドライブにデータベース格納用コンパクトディスクをセットし、再生開始ボタンを操作することにより、当該システムでは、前記のアプリケーションプログラムに基づいてデータベース検索装置を制御する。ここで、ユーザは、当該システムの備える入力装置から検索すべき情報のキーワードを入力する。 
【０００６】
データベース検索装置は、前記キーワードに基づいてコンパクトディスクを検索し、このキーワードにかかる情報を検出・出力することが可能である。また、単一のコンパクトディスクに複数種のデータベースを格納している場合、例えば、「国語辞書」、「英和辞書」、「和英辞書」、「独和辞書」、「和独辞書」の５つのデータベースが格納されている場合には、当該システムの備えるディスプレイ上に検索可能な辞書の選択画面を表示し、五者択一を促すメッセージを表示する。ここで、ユーザが「国語辞書」を選択した場合には、データベース検索装置は当該コンパクトディスクにアクセスし、「国語辞書」格納領域を検出する。 
【０００７】
これにより、ユーザは、検索したい単語を入力することにより、データベース検索装置がその単語にかかる情報を検索・検出し、これをディスプレイ上に表示させることができる。 
．  次に、システムプログラム格納コンパクトディスクを使用する場合には、ユーザは、システムプログラムをロードすべきプログラムロード装置を起動させる。そして、ディスクドライブにシステムプログラム格納コンパクトディスクをセットすることにより、当該コンパクトディスクに格納されているシステムプログラムからＩＰＬ（INITIAL PROGRAM LOAD）が起動され、システムプログラムが当該パーソナルコンピュータのメモリにロードされる。次に、パーソナルコンピュータの備える処理装置がメモリにロードされたシステムプログラムに従い、処理を開始する。 
【０００８】
以上、コンパクトディスクドライブを備えたシステムでは、単一のディスクドライブにより、音楽用コンパクトディスク、データベース格納コンパクトディスク、システムプログラム格納コンパクトディスクの再生を行うことが可能である。
【発明の開示】
【発明が解決しようとする課題】
【０００９】
ところが、前記したシステムでは、ユーザが再生すべきコンパクトディスクの属性を認識した上で、その属性に対応するアプリケーションプログラムを起動させる必要がある。すなわち、音楽情報を格納するコンパクトディスクを再生する場合においても、電源投入、システム起動、アプリケーションプログラムの起動を行わなければならず、作業が煩雑である。 
【００１０】
そこで、本発明は、小型光ディスクに格納されている情報の属性を自動的に判別すると共に、その属性に対応するアプリケーションプログラムを自動的にたち上げることにより、ユーザにかかる作業の簡略化を計り、実用性の高いシステムを提供することを課題とする。 
【課題を解決するための手段】
【００１１】
本発明では、前記課題を解決するために以下のようにした。これを図１の原理図に基づいて説明する。 
【００１２】
本発明におけるシステムは、同一形状であり、情報格納フォーマットの異なる複数種の小型光ディスクを再生可能とするシステムにおいて、読み出し手段１、識別手段２、処理手段３、制御手段４を備える。 
【００１３】
前記読み出し手段１は、小型光ディスクに格納されている情報を読み出すものであり、例えば、小型光ディスク専用のディスクドライブが考えられる。識別手段２は、前記読み出し手段１により読み出される情報のフォーマットを解析し、小型光ディスクに格納されている情報の属性を識別する。 
【００１４】
処理手段３は、小型光ディスクの個々の属性に対応する少なくとも一つの実行部を有し、小型光ディスクの属性に対応する実行部を起動させて小型光ディスクの再生を行うものである。 
【００１５】
制御手段４は、前記各部の動作を制御するものである。ここで、前記処理手段３の有する実行部としては、第一に、ディジタル信号形式の音楽情報をアナログ信号形式の音情報に変換・出力する第一の実行部３ａが考えられる。この第一の実行部３ａは、例えばコンパクトディスクプレーヤとこの動作を制御するアプリケーションプログラムである。 
【００１６】
第二に、任意のデータにかかる情報を検索・出力する第二の実行部３ｂが考えられる。この第二の実行部３ｂは、例えばデータ検索を行うアプリケーションプログラムである。
【００１７】
さらに、第三に、システムプログラムを実行する第三の実行部３ｃが考えられる。この第三の実行部３ｃは、例えば小型光ディスクに格納されているシステムプログラムを実行するＣＰＵ（CENTRAL PROCESSING UNIT；中央処理装置）である。 
【００１８】
（作用）本発明によれば、制御手段４は、電源投入後、読み出し手段１に任意の小型光ディスクがセットされた場合、前記読み出し手段１により当該小型光ディスクの上位に格納されている情報を読み出させる。 
【００１９】
そして、識別手段４は、読み出し手段１の読み出した情報を解析して、当該小型光ディスクに格納されている情報の属性を判別し、その属性情報を処理手段３へ通知する。 
【００２０】
処理手段３では、前記の属性に対応する実行部３を起動させ、当該小型光ディスクに記録されている情報を実行する。すなわち、小型光ディスクの属性が音楽用の小型光ディスクの場合には、この小型光ディスクに記録されている音楽情報を出力すべく第一の実行部３ａを起動させる。 
【００２１】
また、小型光ディスクの属性がデータベース、例えば、国語辞書、英語辞書等の辞書データの場合には、第二の実行部３ｂを起動する。第二の実行部３ｂは、当該システムのユーザが入力する情報にかかるデータをこの小型光ディスクから検出することができる。 
【００２２】
上記した小型光ディスクの属性がシステムプログラムの場合、第三の実行部３ｃを起動させて、当該小型光ディスクに記録されているシステムプログラムを実行することが可能である。 
【００２３】
ここで、識別手段２は、小型光ディスクの上位アドレスに格納されているリードインエリアにアクセスし、ここに音楽情報以外のデータを格納している旨を示すデータ格納情報が登録されているか否かを判別する。ここで、リードインエリアにデータ格納情報が未登録の場合は、当該小型光ディスクの属性を音楽情報として識別する。 
【００２４】
また、前記のリードインエリアにデータ格納情報が登録されている場合には、リードインエリアの下位アドレスに格納されているユーザデータエリアにアクセスし、データベース識別情報が格納されているか、または自動起動プログラムが格納されているかを識別する。 
【００２５】
上記したデータベース識別情報は、例えば、データベース認識用ファイルであり、自動起動プログラムは、例えば、ＩＰＬ（INITIAL PROGRAM LOADER）である。
【００２６】
ここで、自動起動プログラムが格納されている場合には、当該小型光ディスクの属性をシステムプログラムとして識別する。一方、データベース識別情報が格納されている場合には、当該光小型ディスクの属性をデータベースとして識別する。 
【００２７】
そして、処理手段３は、識別手段２から受け取った属性情報に基づき、その属性に対応する実行部（３ａ、３ｂ、３ｃ）を実行させる。以上から、ユーザは、当該システムに小型光ディスクをセットするだけでよく、システムは読み出し手段２にセットされる小型光ディスクの属性を自動的に判別し、その属性に従った実行部を動作させることができる。
【００２８】
なお、前記した第一〜第三の実行部の他に、小型光ディスクの属性に応じた事実行部を備えることも可能である。
【発明の効果】
【００２９】
本発明によれば、システムが小型光ディスクの属性を自動的に判別すると共に、その属性に対応するソフトウェアまたは装置を自動的に立ち上げることができ、ユーザは、煩雑な操作をせずにシステムを利用することが可能となる。   
【発明を実施するための最良の形態】
【００３０】
（実施例）
以下に、本発明の具体的な実施例に次いて説明する。本実施例におけるコンパクトディスク自動判別起動システムの構成を図２に示す。 
【００３１】
本実施例にかかるコンパクトディスク自動判別起動システムは、音楽用コンパクトディスク、辞書検索用データベースコンパクトディスク、システムプログラムコンパクトディスクを再生可能とする。 
【００３２】
同図において、コンパクトディスク自動判別起動システムは、本発明にかかる読み取り手段としてのディスクドライブ５、識別回路６、入力装置としてのキーボード７、情報出力装置としてのディスプレイ装置８、処理手段としての処理装置９、制御手段としての制御回路１４から構成する。 
【００３３】
上記したディスクドライブ５は、小型光ディスク（以下、コンパクトディスクと称する）に格納されている情報の読み出しを行うものである。識別回路６は、ディスクドライブ５にセットされているコンパクトディスクの属性を識別するものである。 
．  キーボード７は、任意の情報を入力するためのものである。ディスプレイ装置８は、任意の情報を画面表示するものである。処理装置９は、コンパクトディスクの属性に応じて、コンパクトディスクの格納情報を再生または実行するものである。 
【００３４】
この処理装置９には、本発明にかかる第一の実行部としてのＣＤプレイヤ制御プログラム１０及びＣＤプレイヤ１１、第二の実行部としてのデータ検索プログラム１２、第三の実行部としてのシステムプログラム実行プログラム１３を備える。 
【００３５】
制御回路１４は、前記各部の動作を制御するものである。以下に、識別回路６によるコンパクトディスクの属性識別手順について説明する。 
【００３６】
図３に、本実施例におけるコンパクトディスクのフレーム構成を示す。コンパクトディスクのデータ格納方式は、データをフレーム構造に展開し、これをインタリーブによりディスク上に拡散された形式で格納している。
【００３７】
このフレーム構成は、１フレーム２８８ビットからなり、上位から同期パターン、サブコード信号、データエリア、パリティビット、データエリア、パリティエリアを有する。
【００３８】
サブコード信号は、Ｐ〜Ｗの８ビットを有し、ディスクドライブは、読み出し時には、サブコード信号を９８フレーム集めたものをサブコードブロックとして読み出す。この具体例を図４に示す。 
【００３９】
同様に、データエリアについても、９８フレーム集めたものを１つのブロックとして扱い、それを１セクタと称する。従って１セクタ当りのデータエリアは２３５２バイトである。ディスクドライブは、このセクタ単位に１ブロックを読み出す。 
【００４０】
さらに、コンパクトディスクは、リードインエリア、ユーザデータエリア、リードアウトエリアに分割され、上記したサブコードブロックは、これら各エリアに存在する。本実施例では、リードインエリアのサブコードブロックに着目し、特にＱチャネルを９８フレーム集めたＱチャネルデータ（以下、ＴＯＣと称す）に着目し、このＴＯＣを参照して音楽用コンパクトディスクか否かを判別する。この具体的な説明は後述する。 
【００４１】
また、辞書検索用データベースコンパクトディスクの場合、ユーザエリアに辞書検索データベース認識用のファイルが格納されます。識別回路６は、この辞書検索データベース認識用のファイルの有無により辞書検索データベースコンパクトディスクか否かを判別する。ここで、前記した辞書検索データベース認識用ファイルに対するアクセスは、当該ユーザデータエリアのアドレス情報、すなわちルートディレクトリの位置情報に基づいて行う様にした。また、辞書検索用データベースコンパクトディスクにおいて、上記したような辞書検索データベース認識用ファイルが存在しないものがあるので、この場合は、ルートディレクトリに従って固定位置の識別データをチェックするようにしてもよい。 
【００４２】
さらに、システムプログラムコンパクトディスクの場合には、ユーザデータエリアの最上位アドレスにＩＰＬ（INITIAL PROGRAM LOADER）が格納されており、識別回路６は、前記した辞書検索データベース認識用ファイルが未格納の場合に、ユーザデータエリアの最上位アドレスにアクセスし、ＩＰＬの有無を判別する。
【００４３】
図５にＱチャネルデータのフォーマットを示す。Ｑ1〜Ｑ98の９８ビットからＱチャネ
ルデータは、先頭の２ビットを同期パターン信号に割り当て、残りのＱ2〜Ｑ98の９６ビ
ットをコントロールビットとして割り当てている。 
【００４４】
コントロールビットは、上位からコントロールフラグ、アドレス、DATA−Ｑ、ＣＲＣエリアに分割される。コントロールフラグには、コンパクトディスクの格納情報を識別するフラグが格納される。つまり、音楽情報か否かを示すフラグである。 
【００４５】
アドレスには、DATA−Ｑにかかる制御情報が格納される。DATA−Ｑには、当該コンパクトディスクにかかる制御データ、例えば、音楽情報の場合には、インデックス情報、トラック時間、フレーム番号等が格納される。さらに、辞書検索用データベースの場合には、ここにデータトラック情報が格納される。 
【００４６】
ＣＲＣは、エラー訂正用のコード情報が格納される。以下、本実施例における小型光ディスク自動判別起動システムの動作過程を説明する。 
【００４７】
図６は、本実施例における小型光ディスク自動判別起動システムの動作過程を示すフローチャート図である。本実施例における小型光ディスク自動判別起動システムは、ユーザがディスクドライブ５に任意のコンパクトディスクをセットした場合、制御回路１４はこれを認識し（ステップ６０１）、識別回路６を動作させる。 
【００４８】
識別回路６は、当該コンパクトディスクのリードインエリアにアクセスし（ステップ６０２）、当該コンパクトディスクにデータトラックが格納されているか否かを判別する（ステップ６０３）。 
【００４９】
ここで、データトラックが未格納の場合には、識別回路６は、当該コンパクトディスクの属性を音楽用コンパクトディスクと識別し、この旨を処理装置９へ通知する（ステップ６０４）。 
【００５０】
当該コンパクトディスクの属性情報を受け取った処理装置９では、ＣＤプレイヤ制御プログラム１０を起動させ、このプログラムに基づいてＣＤプレイヤ１１を動作させる（ステップ６０５）。 
【００５１】
また、前述のステップ６０３において、当該コンパクトディスクにデータトラックが格納されている場合には、識別回路６は、ユーザデータエリアのアドレス情報格納領域にアクセスする（ステップ６０６）。そして、このアドレス情報に基づいてルートディレクトリを検索し（ステップ６０７）、辞書検索データベース認識用ファイルが登録されているか否かを判別する（ステップ６０８）。 
【００５２】
ここで、辞書検索データベース認識用ファイルが登録されている場合には、当該コンパクトディスクの属性を辞書検索用データベースコンパクトディスクと識別し、この旨を処理装置９へ通知する（ステップ６０９）。 
【００５３】
そして、処理装置９は、前記属性情報に基づいてデータ検索プログラム１２を起動させる（ステップ６１０）。これにより、ユーザは、キーボード７から検索すべき単語を入力することにより、制御回路１４は、処理装置９をコンパクトディスクのユーザデータエリアにアクセスさせる。そして、当該単語にかかる情報を検索し、ディスプレイ装置８から画面表示することができる。 
【００５４】
一方、前述のステップ６０８において辞書検索データベース認識用ファイルが未登録の場合には、ユーザデータエリアにアクセスして（ステップ６１１）、ＩＰＬが格納されているか否かを判別する（ステップ６１２）。 
【００５５】
ここで、ＩＰＬが登録されている場合には、当該コンパクトディスクの属性をシステムプログラムと識別し、この旨を処理装置９へ通知する（ステップ６１３）。 
【００５６】
前記の属性情報を受け取った処理装置９は、システムプログラム実行プログラムを起動させる（ステップ６１４）。一方、上記のステップ６１２においてユーザデータエリアにＩＰＬが未格納の場合には、予め当該システムに登録されているメッセージをディスプレイ装置８により画面表示するようにしてもよい。 
【００５７】
以上、本実施例によれば、当該システムのユーザは、ディスクドライブ５に任意のコンパクトディスクをセットする作業のみ行えばよく、システムがコンパクトディスクの属性を自動的に判別し、かかるプログラムを自動的にたち上げることができる。 
【００５８】
なお、本実施例においては、音楽情報用コンパクトディスク、辞書検索用データベースコンパクトディスク、システムプログラム用コンパクトディスクに限定したが、音楽情報と共に任意のデータを格納したコンパクトディスクについてもＱチャネルデータのコントロールフラグにより識別可能である。 
【図面の簡単な説明】
【００５９】
【図１】本発明の原理図
【図２】本実施例における小型光ディスク自動判別起動システムの全体構成ブロック図
【図３】本実施例におけるコンパクトディスクのフレーム構成図
【図４】サブコードブロックの構成を示す具体例
【図５】本実施例におけるＱチャネル情報のフォーマット
【図６】本実施例における小型光ディスク自動判別起動システムの動作過程を示すフローチャート図
【符号の説明】
【００６０】
１・・読み出し手段
２・・識別手段３・・処理手段
３ａ・・第一の実行部
３ｂ・・第二の実行部
３ｃ・・第三の実行部
４・・制御手段
５・・ディスクドライブ
６・・識別回路
７・・キーボード
８・・ディスプレイ装置
９・・処理装置
１０・・ＣＤプレイヤ制御プログラム
１１・・ＣＤプレイヤ
１２・・データ検索プログラム
１３・・システムプログラム実行プログラム
１４・・制御回路 
【図１】
2006099960.tif 000003
【図２】
2006099960.tif 000004
【図３】
2006099960.tif 000005
【図４】
2006099960.tif 000006
【図５】
2006099960.tif 000007
【図６】
2006099960.tif 000008
【手続補正書】
【提出日】平成18年1月25日(2006.1.25)
【手続補正１】
【補正対象書類名】特許請求の範囲
【補正対象項目名】全文
【補正方法】変更
【補正の内容】
【特許請求の範囲】
【請求項１】
同一形状であり、情報形式の異なる複数種の可搬型ディスクを処理可能とする電子装置において、
前記可搬型ディスクは当該可搬型ディスクに格納されている情報を管理する領域を備え、該領域に格納されている情報の読み出しを行う読み出し手段と、
前記読み出し手段の前記領域から読み出した情報に基づいて前記可搬型ディスクに格納されている情報の属性を識別する識別手段と、
前記可搬型ディスクが音楽情報を格納したものであるとき、前記音楽の再生の制御を行う音楽再生制御プログラムと、
前記可搬型ディスクがプログラムを格納したものであるときの前記プログラムを処理するための実行プログラムと、
制御手段とを有し、
前記制御手段は、前記読み出し手段を動作させて当該可搬型ディスクの前記領域に格納されている情報を読み出し、前記識別手段に前記読み出し手段により読み出される情報に基づき当該可搬型ディスクに格納されている情報の属性を判別させ、前記識別手段の識別の結果、前記可搬型ディスクが音楽情報を格納したものである場合は、前記音楽再生制御プログラムを起動し、前記識別手段の識別の結果、前記可搬型ディスクがプログラムを格納したものである場合は、起動した前記実行プログラムが前記プログラムを処理するよう制御することを特徴とする電子装置。
【請求項２】
前記可搬型ディスクがデータベース用のデータを格納するものであるときに、前記データの検索を行うデータ検索プログラムを更に有し、
前記制御手段は、更に、前記識別手段の識別の結果、前記可搬型ディスクがデータベースである場合は、前記データベース検索プログラムを起動するよう制御することを特徴とする請求項１記載の電子装置。
【請求項３】
前記プログラムはシステムプログラムであることを特徴とする請求項１又は２に記載の電子装置。
【請求項４】
同一形状で情報形式の異なる複数種の可搬型ディスクを処理可能であり、前記可搬型ディスクに格納されている情報の読み出しを行う読み出し手段と、前記可搬型ディスクが音
楽情報を格納したものであるとき前記音楽の再生の制御を行う音楽再生制御プログラムと、前記可搬型ディスクがプログラムを格納したものであるときの前記プログラムを処理する実行プログラムとを有する電子装置のための、制御装置において、
前記読み出し手段により前記可搬型ディスクに格納されている情報の管理領域から読み出された情報に基づいて前記可搬型ディスクに格納されている情報の属性を識別する識別手段と、
前記読み出し手段を動作させて当該可搬型ディスクの前記管理領域に格納されている情報を読み出し、前記識別手段に前記読み出し手段により読み出される情報に基づき当該可搬型ディスクに格納されている情報の属性を判別させ、前記識別手段の識別の結果、前記可搬型ディスクが音楽情報を格納したものである場合は、前記音楽再生制御プログラムを起動し、前記識別手段の識別の結果、前記可搬型ディスクがプログラムを格納したものである場合は、起動した前記実行プログラムが前記プログラムを処理するよう制御する制御手段とを有する制御装置。
【請求項５】
同一形状で情報形式の異なる複数種の可搬型ディスクを処理可能であり、前記可搬型ディスクに格納されている情報の読み出しを行う読み出し手段と、前記可搬型ディスクが音楽情報を格納したものであるとき前記音楽の再生の制御を行う音楽再生制御プログラムと、前記可搬型ディスクがプログラムを格納したものであるときの前記プログラムを処理する実行プログラムと、前記可搬型ディスクがデータベース用のデータを格納するものであるときに、前記データの検索を行うデータ検索プログラムを有する電子装置のための、制御装置において、
前記読み出し手段により前記可搬型ディスクに格納されている情報の管理領域から読み出された情報に基づいて前記可搬型ディスクに格納されている情報の属性を識別する識別手段と、
前記読み出し手段を動作させて当該可搬型ディスクの前記管理領域に格納されている情報を読み出し、前記識別手段に前記読み出し手段により読み出される情報を解析させて当該可搬型ディスクに格納されている情報の属性を判別させ、前記識別手段の識別の結果、前記可搬型ディスクが音楽情報を格納したものである場合は、前記音楽再生制御プログラムを起動し、前記識別手段の識別の結果、前記可搬型ディスクがプログラムを格納したものである場合は、起動した前記実行プログラムが前記プログラムを処理するよう制御し、前記識別手段の識別の結果、前記可搬型ディスクがデータベースである場合は、前記データベース検索プログラムを起動するよう制御する制御手段とを有する制御装置。
【請求項６】
前記プログラムはシステムプログラムであることを特徴とする請求項４又は５に記載の制御装置。
【請求項７】
同一形状であり、情報形式の異なる複数種の可搬型ディスクのための処理制御方法において、
可搬型ディスクは当該可搬型ディスクに格納されている情報を管理する領域を備え、該領域に格納されている情報の読み出す第一の手順と、
前記第一の手順により前記領域から読み出された情報に基づいて前記可搬型ディスクに格納されている情報の属性を識別する第二の手順と、前記第二の手順の結果、前記可搬型ディスクが音楽情報を格納したものである場合は、音楽再生制御プログラムを起動する第三の手順と、前記第二の手順の結果、前記可搬型ディスクがプログラムを格納したものである場合は、起動した実行プログラムによって前記プログラムを処理する第四の手順を有する処理制御方法。
【手続補正３】
【補正対象書類名】明細書
【補正対象項目名】００１１
【補正方法】変更
【補正の内容】
【００１１】
本発明では、前記課題を解決するために、以下の構成を提供する。
本発明の同一形状であり、情報形式の異なる複数種の可搬型ディスクを処理可能とする電子装置において、
前記可搬型ディスクは当該可搬型ディスクに格納されている情報を管理する領域を備え、該領域に格納されている情報の読み出しを行う読み出し手段と、
前記読み出し手段の前記領域から読み出した情報に基づいて前記可搬型ディスクに格納されている情報の属性を識別する識別手段と、
前記可搬型ディスクが音楽情報を格納したものであるとき、前記音楽の再生の制御を行う音楽再生制御プログラムと、
前記可搬型ディスクがプログラムを格納したものであるときの前記プログラムを処理するための実行プログラムと、
制御手段とを有し、
前記制御手段は、前記読み出し手段を動作させて当該可搬型ディスクの前記領域に格納されている情報を読み出し、前記識別手段に前記読み出し手段により読み出される情報に基づき当該可搬型ディスクに格納されている情報の属性を判別させ、前記識別手段の識別の結果、前記可搬型ディスクが音楽情報を格納したものである場合は、前記音楽再生制御プログラムを起動し、前記識別手段の識別の結果、前記可搬型ディスクがプログラムを格納したものである場合は、起動した前記実行プログラムが前記プログラムを処理するよう制御する。
さらに、上記電子装置は、前記可搬型ディスクがデータベース用のデータを格納するものであるときに、前記データの検索を行うデータ検索プログラムを更に有し、
前記制御手段は、更に、前記識別手段の識別の結果、前記可搬型ディスクがデータベースである場合は、前記データベース検索プログラムを起動するよう制御しても良い。
また、さらに、前記プログラムはシステムプログラムであっても良い。
本発明では、前記課題を解決するために、さらに、制御装置も提供する。
前記制御装置は、「同一形状であり、情報形式の異なる複数種の可搬型ディスクを処理可能であり、前記可搬型ディスクに格納されている情報の読み出しを行う読み出し手段と、前記可搬型ディスクが音楽情報を格納したものであるとき前記音楽の再生の制御を行う音楽再生制御プログラムと、前記可搬型ディスクがプログラムを格納したものであるときの前記プログラムを処理する実行プログラムとを有する電子装置」のための制御装置であり、本発明の制御装置は、
前記読み出し手段により前記可搬型ディスクに格納されている情報の管理領域から読み出された情報に基づいて前記可搬型ディスクに格納されている情報の属性を識別する識別手段と、
前記読み出し手段を動作させて当該可搬型ディスクの前記管理領域に格納されている情報を読み出し、前記識別手段に前記読み出し手段により読み出される情報に基づき当該可搬型ディスクに格納されている情報の属性を判別させ、前記識別手段の識別の結果、前記可搬型ディスクが音楽情報を格納したものである場合は、前記音楽再生制御プログラムを起動し、前記識別手段の識別の結果、前記可搬型ディスクがプログラムを格納したもので
ある場合は、起動した前記実行プログラムが前記プログラムを処理するよう制御する制御手段とを有する。
また、制御装置は、「同一形状であり、情報形式の異なる複数種の可搬型ディスクを処理可能であり、前記可搬型ディスクに格納されている情報の読み出しを行う読み出し手段と、前記可搬型ディスクが音楽情報を格納したものであるとき前記音楽の再生の制御を行う音楽再生制御プログラムと、前記可搬型ディスクがプログラムを格納したものであるときの前記プログラムを処理する実行プログラムと、前記可搬型ディスクがデータベース用のデータを格納するものであるときに、前記データの検索を行うデータ検索プログラムを有する電子装置」のためのものであっても良く、前記制御装置は、
前記読み出し手段により前記可搬型ディスクに格納されている情報の管理領域から読み出された情報に基づいて前記可搬型ディスクに格納されている情報の属性を識別する識別手段と、
前記読み出し手段を動作させて当該可搬型ディスクの前記管理領域に格納されている情報を読み出し、前記識別手段に前記読み出し手段により読み出される情報を解析させて当該可搬型ディスクに格納されている情報の属性を判別させ、前記識別手段の識別の結果、前記可搬型ディスクが音楽情報を格納したものである場合は、前記音楽再生制御プログラムを起動し、前記識別手段の識別の結果、前記可搬型ディスクがプログラムを格納したものである場合は、起動した前記実行プログラムが前記プログラムを処理するよう制御し、前記識別手段の識別の結果、前記可搬型ディスクがデータベースである場合は、前記データベース検索プログラムを起動するよう制御する制御手段とを有する。
更に、前記プログラムはシステムプログラムであることを特徴とするものである場合に、前記制御装置は制御を行っても良い。
本発明では、前記課題を解決するために、さらに、処理制御方法も提供する。
本発明の、同一形状であり、情報形式の異なる複数種の可搬型ディスクのための記憶媒体処理制御方法は、
可搬型ディスクは当該可搬型ディスクに格納されている情報を管理する領域を備え、該領域に格納されている情報の読み出す第一の手順と、
前記第一の手順により前記領域から読み出された情報に基づいて前記可搬型ディスクに格納されている情報の属性を識別する第二の手順と、前記第二の手順の結果、前記可搬型ディスクが音楽情報を格納したものである場合は、音楽再生制御プログラムを起動する第三の手順と、前記第二の手順の結果、前記可搬型ディスクがプログラムを格納したものである場合は、起動した実行プログラムによって前記プログラムを処理する第四の手順を有する。これらを図１の原理図に基づいて説明する。